(57)【特許請求の範囲】
【請求項１】
側面を囲んで遊技に用いる遊技球を貯留すると共に遊技機の上縁近傍に配置され、該遊技球を払い出すための払出装置に向けて複数条のタンクレールを介して該遊技球を流下させる遊技球貯留タンクであって、
該遊技球貯留タンクの一側面に設けられた導電性部材と、
前記遊技球を該導電性部材に向けて導くことにより前記遊技球を前記導電性部材に接触させる遊技球誘導手段と、を有し、
前記複数条のタンクレールが少なくとも前記一側面に近い側の条と該一側面から遠い側の条とを有して構成され、
前記遊技球貯留タンクは、更に、
前記一側面からその対向する側面に向けて斜め下流方向に延伸して配置され、その上流側の面が遊技球を案内するための案内面とされ、
前記導電性部材に接触した後の遊技球のうち自身より下流側に流下した遊技球に作用を与えず、かつ、自身より上流側に流下した遊技球に前記案内面により前記一側面から遠ざかる作用を与えて当該作用を与えられた遊技球を前記一側面から遠い側の条へと導くことにより、前記遊技球誘導手段に誘導された後の遊技球を前記複数条のタンクレールに略均等に分散するように流下させる遊技球分散手段と、
を備えた遊技球貯留タンク。

【請求項２】
前記遊技球誘導手段は、
前記遊技球を前記遊技球分散手段の上流側に導く第１の誘導経路と、
前記遊技球を前記遊技球分散手段の下流側に導く第２の誘導経路と、
を備えた請求項１に記載の遊技球貯留タンク。
【請求項３】
遊技球が流下する遊技領域を備えた遊技盤と、
該遊技盤を遊技者に視認可能に保持する枠体と、
前記遊技盤に向けて遊技球を発射する遊技球発射手段と、
請求項１又は請求項２に記載の遊技球貯留タンクと、を有する遊技機。
【発明の詳細な説明】
【技術分野】
【０００１】
本発明は、遊技球貯留タンク及び遊技機に係り、特に、遊技球の帯電による種々のトラブルを防止することのできる遊技球貯留タンク等に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や羽根車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機は、いわゆる遊技機島に取り付けられて配置され、遊技機島の遊技球循環装置から遊技球が供給されるように構成されている。遊技機島から供給された遊技球は、パチンコ機の後面側の上部に配置された遊技球貯留タンクに供給される。遊技球貯留タンクは、遊技機島から供給された遊技球を遊技球貯留タンクの下流に設けられたタンクレールを介して、遊技球を１球ずつ払い出す賞球払出ユニットに導くように構成されている。
【０００４】
遊技球循環装置から供給された遊技球は帯電している場合がある。また、遊技球貯留タンク内で遊技球同士の接触により帯電する場合もある。遊技球が帯電すると、遊技球表面への汚れ付着が増大したり、その静電放電によって電磁波ノイズを発生し、電子部品等に悪影響を与えてしまったりすることがある。従来、遊技球貯留タンクにおいて帯電した遊技球の静電放電により発生する電磁波ノイズを遮断するように、遊技球貯留タンクの所定部位に導電性部材を設けた遊技球貯留タンクを有する遊技機が提案されている（例えば、特許文献１参照）。
【先行技術文献】
【特許文献】
【０００５】
【特許文献１】特開２００２−４５５３９号公報
【発明の概要】
【発明が解決しようとする課題】
【０００６】
しかしながら、遊技球貯留タンクの一側面にのみ導電性部材を配置しても遊技球がその導電性部材に接触しなければ帯電を除去することができない。また、多くの遊技球が導電性部材に接触するように、遊技球貯留タンクの底面を導電性部材側に向けて下がり傾斜となるように形成した場合には、遊技球の流下経路が偏ってしまい、遊技球貯留タンクの下流側に繋がるタンクレールに円滑に遊技球を導くことが難しい。特に、タンクレールを２条や４条のように複数条に構成した場合には、そのうちの特定条にのみ遊技球が偏ってしまって球詰まりを引き起こしてしまうおそれもある。
【０００７】
本発明は、上記の事情に鑑みてなされたものであり、遊技球貯留タンクからタンクレールに導かれる遊技球に帯電した静電気を遊技球貯留タンク内で除去し、かつ、下流に設けられた複数条のタンクレールに略均等に遊技球を導くことのできる遊技球貯留タンク及び遊技機を提供することを例示的課題とする。
【課題を解決するための手段】
【０００８】
上記の課題を解決するために、本発明の例示的側面としての遊技球貯留タンクは、側面を囲んで遊技に用いる遊技球を貯留すると共に遊技機の上縁近傍に配置され、遊技球を払い出すための払出装置に向けて複数条のタンクレールを介して該遊技球を流下させる遊技球貯留タンクであって、遊技球貯留タンクの一側面に設けられた導電性部材と、遊技球を導電性部材に向けて導く遊技球誘導手段と、遊技球誘導手段に誘導された後の遊技球のうちの一部を前記一側面と反対の方向へ導き、遊技球誘導手段に誘導された後の遊技球を複数条のタンクレールに略均等に分散するように流下させる。
【０００９】
遊技球誘導手段により導電性部材に向けて誘導された遊技球は、導電性部材に当接することにより除電されるので、帯電したままの状態で、遊技球が下流の複数条のタンクレールや払出装置へ到達することを防止することができる。帯電した遊技球による電磁波ノイズの発生や帯電に起因する汚れ付着等の不具合を効果的に防止することができる。
【００１０】
遊技球誘導手段により誘導されて導電性部材に当接した後の遊技球のうちの一部は、導電性部材が設けられた遊技球貯留タンクの一側面と反対の方向、すなわち導電性部材から離間する方向に、遊技球分散手段により導かれる。残りの遊技球は、導電性部材に当接した後に、導電性部材から離間する方向に導かれることなくタンクレールへ向かう。
【００１１】
導電性部材に当接した後の遊技球は、導電性部材から離間する方向に誘導されるものと誘導されないものとに分散され、その結果、遊技球は複数条のタンクレールへと略均等に分散するように流下する。この作用により、遊技球を複数条のタンクレールに向けて全体として略均等に流下させることができ、結果的に球数の偏りや球詰まり等の不具合を防止することができる。
【００１２】
遊技球誘導手段は、遊技球を遊技球分散手段の上流側に導く第１の誘導経路と、遊技球を遊技球分散手段の下流側に導く第２の誘導経路と、を備えてもよい。なお、遊技球分散手段の「上流側」や遊技球分散手段の「下流側」は、それぞれ遊技球分散手段が設けられる遊技球貯留タンクにおける「上流側」や「下流側」である。遊技球貯留タンクは、例えば、遊技機島から供給される遊技球を、その自重による転動作用により下流に連接されたタンクレールへと導くものであり、遊技球貯留タンクの底面部は、その下流のタンクレールに向けて下がり傾斜するように構成されている。
【００１３】
本発明の他の例示的側面としての遊技機は、遊技球が流下する遊技領域を備えた遊技盤と、この遊技盤を遊技者に視認可能に保持する枠体と、遊技盤に向けて遊技球を発射する遊技球発射手段と、上記の遊技球貯留タンクと、を有する。
【００１４】
上述した遊技球貯留タンクを遊技機が備えることによって、遊技球貯留タンクに貯留された遊技球は、遊技球誘導手段により遊技球貯留タンクの一側面に設けられた導電性部材に向けて誘導され、導電性部材に当接することにより除電される。除電された遊技球は遊技球分散手段により遊技球貯留タンクにおける流路が分散され、下流の複数条のタンクレールに略均等に遊技球を流入させることができる。
【００１５】
タンクレールには除電された遊技球が流入するので、払出装置や各種の遊技制御を実行する制御基板等には帯電した遊技球による電磁波ノイズの悪影響が防止される。そして、複数条のタンクレールには略均等に分散された量の遊技球が流入するので、各タンクレールへの流入量の偏りが防止される。  本発明の更なる目的又はその他の特徴は、以下添付図面を参照して説明される好ましい実施形態によって明らかにされるであろう。
【発明の効果】
【００１６】
この遊技球貯留タンクによれば、遊技球が遊技球誘導手段により導電性部材に向けて誘導され、導電性部材に当接することにより除電される。遊技球が、遊技球貯留タンクの下流側に位置する複数条のタンクレールや払出装置へ至る前に除電されるので、遊技球への汚れ付着や電磁波ノイズによる悪影響を効率的に防止することができる。
【００１７】
除電後の遊技球が、複数条のタンクレールへと略均等に分散されて流入するので、タンクレール内での球詰まりや特定のタンクレールへの偏った球の流下を防止することができる。
【００１８】
本発明の遊技機によれば、上述の遊技球貯留タンクを備えて構成しているので、遊技者が遊技を中断しなければならないエラーの発生が防止され、遊技者に快適な遊技を提供することができる。
【図面の簡単な説明】
【００１９】
【図１】実施形態１に係る遊技球貯留タンクを有するパチンコ機の正面図である。
【図２】図１に示すパチンコ機の背面図である。
【図３】図２に示す遊技球貯留タンクの斜視図である。
【図４】図３に示す遊技球貯留タンクの平面図である。
【図５】図４に示した遊技球誘導部材４３の尾根部４３ａ及び斜面４３ａ〜斜面４３ｄを透過して見た平面図である。
【図６】遊技球誘導部材４３を、遊技球誘導部材４３が配置される貯留皿４１の底面４１ａ側から見た斜視図である。
【図７】実施形態２に係る遊技球貯留タンクの斜視図である。
【図８】曲面部４０３ｂ１とアース板金４０５の当接点４０６における状態を詳細に示した拡大断面図である。
【発明を実施するための形態】
【００２０】
［実施形態１］
以下、本発明の実施形態１について図面を用いて説明する。図１は、本発明の実施形態１に係る遊技球貯留タンク４０を有するパチンコ機（遊技機）２の正面図であり、図２は、図１に示すパチンコ機２の背面図である。このパチンコ機２は、遊技機枠ユニット３、遊技盤ユニット５、ガラス１０、発射ユニット（図示せず）、球皿１４等を有している。発射ユニットは、１個ずつ遊技球２３を遊技盤ユニット５に構成される遊技領域１６に向けて発射可能に構成されている。
【００２１】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００２２】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施形態においては、デジパチ遊技（１種遊技、図柄変動遊技ともいう。）を実現するいわゆる１種タイプのパチンコ機について例示説明する。なお、図柄変動遊技については後述する。
【００２３】
パチンコ機２の遊技機枠ユニット３は、後述する遊技盤ユニット５を保持するためのものであり、このパチンコ機２の周囲側面及び前方を囲むように構成されている。遊技機枠ユニット３の内部側には、遊技盤ユニット５の他にも後述する各種制御基板や遊技球用の経路、及び遊技球の発射装置等各種機構部品が配置され、遊技機枠ユニット３によって周囲側面及び前方からのパチンコ機２内部側への不正アクセスが防止されるようになっている。
【００２４】
パチンコ機２の周囲を囲む外枠４、その内側に前方開閉可能にヒンジ２２を介して揺動支持されて遊技盤ユニット５を保持する前枠９、前枠９の前方に前方開閉可能に揺動支持されガラス１０及びその周囲を装飾する装飾部材３２を保持するガラス枠１２、を有して遊技機枠ユニット３が構成される。
【００２５】
ガラス１０は、遊技機枠ユニット３内部側に保持された遊技盤６を前方から遊技者が視認することができるようにするための透明部材である。ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００２６】
球皿１４は、遊技者の持ち球を貯留するためにパチンコ機２の前面に配置された皿部材であって、本実施形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００２７】
発射ユニット（図示せず）は、球送り装置（図示せず）によって球皿１４の一部としての上球皿１４ａから発射位置に送り出された遊技球２３を遊技領域１６の上部に向けて発射（弾球）するためのものである。発射ユニットは、前枠９の下部に取り付けられており、発射位置の遊技球２３を弾球する発射杆、その発射杆を駆動する発射モータ、発射杆を付勢して弾球力を発生させる発射バネを有している。
【００２８】
遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００２９】
遊技盤６は、その表面側に遊技球２３の流下による遊技を実現するための遊技領域１６を構成するための盤状部材であり、遊技盤６を前方から遊技者にとって視認可能となるように遊技機枠ユニット３の一部としての前枠９に保持されている。すなわち、前枠９は、遊技盤６を保持する保持部として機能している。
【００３０】
遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００３１】
遊技釘２７は、遊技領域１６を流下する遊技球２３と衝突してその流下方向を変更させる流下変更部材であり、多数が遊技領域１６内に配置されている。また、遊技領域１６には、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００３２】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００３３】
遊技盤６の裏面側には、パチンコ機２の全体の制御を行う遊技制御手段としての主制御基板を収容した主制御基板ケース３５と、演出表示装置７ａの画像表示の制御等を行う演出制御基板を収容した演出制御基板ケース３６と、賞球払出ユニット６０による賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００３４】
遊技盤６の上縁部には、遊技機島（図示せず）から供給される遊技球２３を貯留する遊技球貯留タンク４０と、遊技球貯留タンク４０に貯留された遊技球を賞球払出ユニット６０へと導く誘導通路となる２条のタンクレール５０と、が配置されている。なお、賞球払出ユニット６０は、本実施形態に係る払出装置を例示したものである。
【００３５】
賞球払出ユニット６０は、払出制御手段によって駆動制御されるように構成されており、各種入賞口への遊技球２３の入球や、遊技者からの遊技球２３の貸出し要求に応じて、遊技者に遊技球２３を供給するように構成されている。
【００３６】
発射ユニットにより遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものはゲージに衝突しつつ遊技領域１６内を下方に流下し、あるものは普通入賞口２８に流入して一定数の賞球払出しの契機となり、あるものはいずれの入球装置にも流入せずに遊技領域１６内最下部に位置するアウト口３０に流入してアウト球としてパチンコ機２の外部側へと排出される。
【００３７】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００３８】
第１の特別遊技が実行されると、短時間に大量の賞球が賞球払出ユニット６０から球皿１４へと払い出されるため、遊技球貯留タンク４０内に貯留されている遊技球は急速に消費され、遊技機島（図示せず）からの遊技球の供給が追いつかなくなり、遊技球貯留タンク４０内の遊技球がごく少量になったりカラになったりする場合がある。
【００３９】
図３は、図２に示す遊技球貯留タンク４０を示す斜視図である。遊技球貯留タンク４０は、遊技球２３を貯留する貯留皿４１と、遊技球誘導部材４３と、遊技球分散部材であるリブ４６と、アース板金４５と、を備えている。なお、遊技球誘導部材４３、リブ４６及びアース板金４５は、それぞれ、遊技球誘導手段、遊技球分散手段及び導電性部材を例示したものである。
【００４０】
貯留皿４１は、底面４１ａと、底面４１ａの両側端部から上方に延出形成された一対の側面４１ｂ、側面４１ｃと、これら側面４１ｂと側面４１ｃとに連結するように底面４１ａから上方に延出形成された背面４１ｄと、側面４１ｂから底面４１ａに向けて下り傾斜となる斜面４１ｅと、を備えている。貯留皿４１の一側面である側面４１ｂには導電性部材であるアース板金４５が取り付けられている。貯留皿４１の底面４１ａの下流側は、タンクレール５０に連接している。貯留皿４１の底面４１ａは、貯留皿４１に貯留された遊技球が自重による転動運動によってタンクレール５０へ到達するように背面４１ｄ側からタンクレール５０に向けて下り傾斜している。
【００４１】
遊技球誘導部材４３は、尾根部４３ａと、尾根部４３ａの片側から下り傾斜となる第１の斜面４３ｂ１と、尾根部４３ａの第１の斜面と反対側から下り傾斜となる第２の斜面４３ｂ２と、第１の斜面４３ｂ１から上り傾斜となる第３の斜面４３ｃ１と、第２の斜面４３ｂ２から上り傾斜となる第４の斜面４３ｃ２と、第１の開口部４３ｅ１と、第２の開口部４３ｅ２と、第１の斜面４３ｂ１の側面４１ｂ側の端部から底面４１ａへと垂下する誘導壁４３ｆと、を備えている。第１の斜面４３ｂ１と第３の斜面４３ｃ１により第１の谷部４３ｄ１が形成され、第２の斜面４３ｂ２と第４の斜面４３ｃ２により第２の谷部４３ｄ２が形成されている。
【００４２】
導電性金属の薄板で形成されたアース板金４５は、貯留皿４１の側面４１ｂに取り付けられている。アース板金４５は、遊技球誘導部材４３の第１の開口部４３ｅ１に臨むように貯留皿４１の内側に露出した第１の除電面４５ａ１と、遊技球誘導部材４３の第２の開口部４３ｅ２に臨むように貯留皿４１側に露出した第２の除電面４５ａ２と、貯留皿４１の外部に突出するアース接続端子４５ｂと、を備えている。
【００４３】
図４は、図３に示す遊技球貯留タンク４０の平面図である。図示しない遊技機島から供給された遊技球２３は、遊技球誘導部材４３の尾根部４３ａの略上方の位置から落下するので、尾根部４３ａを境として一部の遊技球が斜面４３ｂ１に誘導され、他の遊技球が斜面４３ｂ２に誘導される。斜面４３ｂ１に誘導された遊技球２３は、斜面ｂ１上を谷部４３ｄ１に到るまで滑落し、その後、谷部４３ｄ１上を第１の開口部４３ｅ１に向かって流下し、第１の開口部４３ｅ１から貯留皿４１の底面４１ａ上に落下する。この経路で底面４１ａに到達した遊技球２３は、アース板金４５の第１の除電面４５１ａに当接し、第１の除電面４５ａ１と遊技球誘導部材４３の誘導壁４３ｆの壁面４３ｆ１（図６参照）に案内されてリブ４６に向かう方向に流下する。このとき、遊技球２３は、アース板金４５の第１の除電面４５ａ１に当接するので、遊技球２３は、効果的に除電される。
【００４４】
一方、尾根部４３ａから斜面４３ｂ２に誘導された遊技球２３は、斜面４３ｂ２上を谷部４３ｄ２に到るまで滑落し、その後谷部４３ｄ２上を第２の開口部４３ｅ２に向かって流下し、貯留皿４１の斜面４１ｅに落下する。斜面４１ｅに落下した遊技球２３は、アース板金４５の第２の除電面４５ａ２に当接するので遊技球２３は、効果的に除電される。
【００４５】
遊技球２３が、遊技球誘導部材４３の斜面４３ｂ１から谷部４３ｄ１を経て第１の開口部４３ｅ１に誘導される経路がこの実施形態における第１の誘導経路である。また、遊技球２３が斜面４３ｂ２から谷部４３ｄ２を経て第２の開口部４３ｅ２に誘導される経路がこの実施形態における第２の誘導経路である。
【００４６】
図５は、図４に示した遊技球誘導部材４３の尾根部４３ａ及び斜面４３ａ〜斜面４３ｄを透過して見た平面図である。リブ４６は貯留皿４１の側面４１ｂ側から下流側に延伸して配置される。
【００４７】
リブ４６は、上流側に遊技球を案内するための案内面４６ａを備え、リブ４６の先端部が、貯留皿４１の側面４１ｂと側面４１ｃの略中間位置に配置されている。
【００４８】
上記第１の誘導経路を経て遊技球誘導部材４３の第１の開口部４３ｅ１から貯留皿４１の底面４１ａ上に落下した遊技球は、アース板金４５の第１の除電面４５ａ１と遊技球誘導部材４３から底面４１ａに向けて垂下する誘導壁４３ｆの壁面４３ｆ１との間をリブ４６へ向けて流下し、その後、リブ４６の案内面４６ａに接しながら貯留皿４１の底面４１ａ上をリブ４６の先端部へ向けて流下する。この第１の誘導経路を経た遊技球２３は、アース板金４５の第１の除電面４５ａ１に当接して除電され、リブ４６の案内面４６ａによってアース板金４５が設けられている側面４１ｂと離間する方向に誘導されてタンクレール５０へ流入する。
【００４９】
上記第２の誘導経路を経て遊技球誘導部材４３の第２の開口部４３ｅ２から貯留皿４１の斜面ｅ上に落下した遊技球２３は、アース板金４５の第２の除電面４５ａ２に当接して除電され、アース板金４５が設けられている側面４１ｂ側の底面４１ａ上を流下してタンクレール５０へ流入する。
【００５０】
遊技球貯留タンク４０に供給された遊技球は、第１の誘導経路又は第２の誘導経路に誘導され、第１の誘導経路に誘導された遊技球はリブ４６の機能により、貯留皿４１のアース板金４５が設けられた側面４１ｂから離間する方向に誘導されて貯留皿４１の底面４１ａ上をタンクレール５０に向けて流下し、第２の誘導経路に誘導された遊技球はアース板金４５が設けられた側面４１ｂ側の底面４１ａ上をタンクレール５０に向けて流下する。リブ４６の機能により遊技球貯留タンク４０に供給された遊技球は、リブ４６よりも下流の貯留皿４１の底面４１ａにおいて略均等に分散され、遊技球２３を略均等に複数条のタンクレール５０へ流入させることができる。
【００５１】
図６は、遊技球誘導部材４３を、遊技球誘導部材４３が配置される貯留皿４１の底面４１ａ側から見た斜視図である。遊技球誘導部材４３は、それぞれ、裏面に斜面４３ｂ１、斜面４３ｂ２、斜面４３ｃ１、斜面４３ｃ２が形成された板部４３ｇ１、板部４３ｇ２、板部４３ｇ３、板部４３ｇ４を備えており、板部４３ｇ１と板部４３ｇ２は結合部４３ｇ０において結合されている。
【００５２】
なお、結合部４３ｇ０の裏面は尾根部４３ａである。これら板部４３ｇ１、板部４３ｇ２、板部４３ｇ３、板部４３ｇ４は、側面４１ｂ側支持部４３ｈ１、上流側支持部４３ｈ２、側面４１ｃ側支持部４３ｈ３及び下流側支持部４３ｈ４によって一体的に構成されている。
【００５３】
遊技球誘導部材４３は、側面４１ｂ側支持部４３ｈ１の下流側と板部４３ｇ１との間に形成される第１の開口部４３ｅ１と、側面４１ｂ側支持部４３ｈ１の上流側と板部４３ｇ２との間に形成される第２の開口部４３ｅ２を備えている。側面４１ｂ側支持部４３ｈ１の長手方向の略中央の位置から側面４１ｃ側支持部４３ｈ３に向けて、案内面４６ａが形成されたリブ４６が延設されている。板部４３ｇ１の第１の開口部４３ｅ１に臨む端面に、貯留皿４１の底面４１ａに向けて垂下する壁面４３ｆ１を備えた誘導壁４３ｆが形成されている。
【００５４】
実施形態１においては、貯留皿４１に遊技球誘導部材４３が配置されて、遊技球貯留タンク４０が構成されている。
【００５５】
この遊技球貯留タンク４０を備えた遊技機によれば、帯電した遊技球による電磁波ノイズの発生や帯電に起因する汚れ付着等の不具合を効果的に防止することができ、遊技者に快適な遊技を提供することができる。
【００５６】
[実施形態２]
次に、実施形態２について、図７及び図８を参照して説明する。図７は、実施形態２に係る遊技球貯留タンク４００の斜視図であり、図８は、図７の部分拡大断面図である。
【００５７】
遊技球貯留タンク４００は、遊技球を貯留する貯留皿４０１と、遊技球誘導部材４０３と、を備えている。貯留皿４０１は、底面４０１ａと、底面４０１ａの両側端部から上方に延出形成された一対の側面４０１ｂ、側面４０１ｃと、これら側面４０１ｂと側面４０１ｃとに連結するように底面４０１ａから上方に延出形成された背面４０１ｄと、を備えている。貯留皿４０１の一側面である側面４０１ｂには導電性部材であるアース板金４０５が取り付けられている。貯留皿４０１の底面４０１ａの下流側は、タンクレール５００に連結している。貯留皿４０１の底面４０１ａは、貯留皿４０１に貯留された遊技球が自重による転動運動によってタンクレール５０へ到達するように背面４０１ｄ側からタンクレール５０に向けて下り傾斜している。
【００５８】
遊技球誘導部材４０３は、図示しない遊技機島から遊技球貯留タンク４００に供給される供給される遊技球を下流側に誘導する誘導面４０３ａと、誘導面４０３ａの下流側に誘導面４０３ａから垂下する同一形状の複数（本実施形態２では７つ）の曲面部４０３ｂ１〜４０３ｂ７と、曲面部４０３ｂの最上流部から遊技球の直径よりも若干長い距離を離間して形成された平板部４０３ｃと、曲面部４０３ｂと平板部４０３ｃとを結合する底面部４０３ｄと、底面部４０３ｄの各曲面部４０３ｂ１〜４０３ｂ７に対応した位置に底面部４０３ｄから立設された複数（本実施形態２では７つ）のリブ４０３ｅ１〜４０３ｅ７と、を備えている。これらのリブ４０３ｅ１〜４０３ｅ７の先端部は、アース板金４０５側に向けて下り傾斜となる斜面４０３ｅ１１〜４０３ｅ７１を備えている。
【００５９】
７つの曲面部４０３ｂ１〜４０３ｂ７と平板部４０３ｃとの間の空間には、各曲面部４０３ｂ１等と平板部４０３ｃとの間の空間に１つずつの遊技球が滞留する。隣接する空間内に滞留した遊技球は互いに外周面で当接しており、最も側面４０１ｂに近い遊技球はアース板金４０５に当接している。したがって、曲面部４０３ｂ１〜４０３ｂ７と平板部４０３ｃとの間に滞留する７つの遊技球は、すべてアース板金４０５に直接又は間接的に当接するので、これら７つの滞留した遊技球は除電される。
【００６０】
図８は、遊技球２３とアース板金４０５の当接点４０６における状態を詳細に示した部分拡大断面図である。曲面部４０３ｂ１とアース板金４０５の間の空間に滞留した遊技球は、底面部４０３ｄから立設したリブ４０３ｅ１の斜面４０３ｅ１１上に載置されるので、遊技球の自重と斜面４０３ｅ１１の効果によりアース板金４０５側に付勢され、当接点４０６においてアース板金４０５と直接当接して除電される。このアース板金４０５に直接当接する遊技球に、隣接する遊技球が当接するので、曲面部４０３ｅ２〜４０３ｅ７と平板部４０３ｃと間の空間に滞留した遊技球は、曲面部４０３ｂ１とアース板金４０５の間の空間に滞留した遊技球を介してアース板金４０５に間接的に当接して除電される。滞留した遊技球は、それぞれ、遊技球の自重とリブ４０３ｅ１〜４０３ｅ７の斜面４０３ｅ１１〜４０３ｅ７１の効果により、アース板金４０５方向に付勢されるので、滞留する遊技球が隣接する遊技球又はアース板金４０５に当接することを確実にする。
【００６１】
リブ４０３ｅ１〜４０３ｅ７の斜面４０３ｅ１１〜４０３ｅ７１と遊技球誘導部材４０３の誘導面４０３ａとの上下方向の距離は、曲面部４０３ｂ１〜４０３ｂ７と平板部４０３ｃとの間に滞留する７つの遊技球の上面部が遊技球誘導部材４０３の誘導面４０３ａよりも１ｍｍ程度上方に突出するように設計されている。
【００６２】
遊技球誘導部材４０３の誘導面４０３ａに供給された遊技球は、これらの遊技球が誘導面４０３ａ上を流下する勢いにより、滞留しているいずれか１つ以上の遊技球の上面部又は隣接する２つの滞留遊技球の上面部に当接し、滞留球列を乗り越えて貯留皿４０１に落下する。誘導面４０３ａから流下した遊技球は、除電された滞留球列の上面部に当接するので効率的に除電され、除電された遊技球が貯留皿４０１の底面部４０１ａに落下し、底面部４０１ａ上をタンクレール５００に向けて流下する。
【００６３】
実施形態２において、遊技球誘導部材４０３は、貯留皿４０１に着脱可能に構成されている。遊技球誘導部材４０３は、貯留皿４０１に対する前後方向の配置位置を任意に選択できるので、貯留皿４０１の容積を容易に増減することができる。
【００６４】
以上、本発明の好ましい実施形態を説明したが、本発明はこれらに限定されるものではなく、その要旨の範囲内で様々な変形や変更が可能である。
【符号の説明】
【００６５】
２：パチンコ機（遊技機）
３：遊技機枠ユニット
４：外枠
５：遊技盤ユニット
６：遊技盤
６ａ：遊技盤面（遊技盤の表面）
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：遊技球貯留タンク
４１：貯留皿
４１ａ：底面
４１ｂ，４１ｃ：側面
４１ｄ：背面
４１ｅ：斜面
４３：遊技球誘導部材
４３ａ：尾根部
４３ｂ１：第１の斜面
４３ｂ２：第２の斜面
４３ｃ１：第３の斜面
４３ｃ２：第４の斜面
４３ｄ１：第１の谷部
４３ｄ２：第２の谷部
４３ｅ１：第１の開口部
４３ｅ２：第２の開口部
４３ｆ：誘導壁
４３ｆ１：壁面
４３ｇ０：結合部
４３ｇ１，４３ｇ２，４３ｇ３，４３ｇ４：板部
４３ｈ１：側面４１ｂ側支持部
４３ｈ２：上流側支持部
４３ｈ３：側面４１ｃ側支持部
４３ｈ４：下流側支持部
４５：アース板金
４５ａ１：第１の除電面
４５ａ２：第２の除電面
４５ｂ：アース接続端子
４６：リブ
４６ａ：案内面
５０：タンクレール
６０：賞球払出ユニット
４００：遊技球貯留タンク
４０１：貯留皿
４０１ａ：底面
４０１ｂ，４０１ｃ：側面
４０１ｄ：背面
４０３：遊技球誘導部材
４０３ａ：誘導面
４０３ｂ１〜４０３ｂ７：曲面
４０３ｃ：平板部
４０３ｄ：底面部
４０３ｅ１〜４０３ｅ７：リブ
４０３ｅ１１，４０３ｅ２１，・・・，４０３ｅ７１：斜面
４０５：アース板金
４０６：当接点
【図１】
0005674019.tif 000002
【図２】
0005674019.tif 000003
【図３】
0005674019.tif 000004
【図４】
0005674019.tif 000005
【図５】
0005674019.tif 000006
【図６】
0005674019.tif 000007
【図７】
0005674019.tif 000008
【図８】
0005674019.tif 000009